(57)【要約】【課題】画像記録された被記録材に対して後処理を行うために被記録材を搬出するまでの搬送経路が長くても、画像記録のスループットを向上させ、かつジャムエラー発生時にジャムエラーにより失われた分の画像記録枚数における補充処理が選択により行えること。【解決手段】画像情報管理部２５は、画像情報Ｄを第１の記憶部に記憶し、記憶された画像情報の中から画像記録する画像情報Ｄに基づいた画像情報を第２の記憶部２７に記憶し、画像記録終了を検出部２０から通知された時点で第２の記憶部２７に記憶された画像情報を消去し、後処理部１２の搬送経路でジャムエラーが発生した場合に、当該ジャムエラー回避後に続行処理が選択されると、ジャムエラーで失われた分の画像記録処理を行い、後処理検出部２１、２２、２３により終了を検出すると、第１の記憶部に記憶された画像情報Ｄを消去する。【選択図】図２
2006175837.tif 000002
【特許請求の範囲】
【請求項１】
画像情報に基づいて被記録材に画像を記録する画像記録部と、前記画像記録部に対向して設けられ、前記被記録材を少なくとも載置して搬送経路の下流側へ搬送する搬送機構と、前記搬送機構の下流側に設けられ、画像記録後の前記被記録材に対して後処理を行う後処理部とを有する画像記録装置において、
前記搬送経路における前記画像記録部の下流側に設けられた検出部と、
前記後処理部に設けられた少なくとも１つの後処理検出部と、
前記画像記録部、前記搬送機構及び前記後処理部を統括制御する画像情報管理部と、
前記画像情報管理部により前記画像情報が記憶される第１の記憶部と、
前記画像情報管理部により少なくとも前記第１の記憶部に記憶された前記画像情報に基づく画像情報が記憶される第２の記憶部と、
を具備することを特徴とする画像記録装置。
【請求項２】
前記検出部と前記後処理検出部とは、それぞれ少なくとも前記被記録材の有無を検出することを特徴とする請求項１記載の画像記録装置。
【請求項３】
前記検出部と前記後処理検出部とは、それぞれ光学式の透過／反射型センサ又は静電容量型センサであることを特徴とする請求項２記載の画像記録装置。
【請求項４】
前記画像情報管理部は、前記検出部の検出情報に基づいて前記第２の記憶部の画像情報を消去することを特徴とする請求項１記載の画像記録装置。
【請求項５】
前記画像情報管理部は、前記検出部の検出情報及び前記後処理部の検出情報に基づいて前記第１の記憶部に記憶されている前記画像情報に基づく前記画像情報を前記第２の記憶部に記憶させることを特徴とする請求項１記載の画像記録装置。
【請求項６】
前記画像情報管理部は、前記後処理検出部の検出情報に基づいて前記第１の記憶部に記憶されている前記画像情報を消去することを特徴とする請求項１記載の画像記録装置。
【請求項７】
前記第２の記憶部に記憶される前記画像情報は、前記第１の記憶部に記憶された前記画像情報に対して少なくとも階調数の変換がされることを特徴とする請求項１記載の画像記録装置。
【請求項８】
前記第１の記憶部と前記第２の記憶部とは、それぞれランダムアクセスメモリ又はハードディスク装置のいずれか一方又は両方を有することを特徴とする請求項１記載の画像記録装置。
【請求項９】
前記後処理部は、着脱可能に設けられていることを特徴とする請求項１記載の画像記録装置。
【請求項１０】
前記後処理部は、画像記録された前記被記録材に対し孔開け、綴じ又は製本処理を行うことを特徴とする請求項１記載の画像記録装置。
【請求項１１】
前記後処理部は、少なくとも前記搬送機構から搬出された前記被記録材を一旦収納してから導入搬送するための搬送部を有することを特徴とする請求項１記載の画像記録装置。
【請求項１２】
前記搬送部は、複数の収納部を有し、前記後処理部への前記被記録材の導入順を可変することを特徴とする請求項１１記載の画像記録装置。
【請求項１３】
画像情報に基づいて被記録材に画像を記録する工程と、前記画像が記録された前記被記録材に対して後処理を行なう工程とを有する画像記録方法において、
ｎ個の前記画像情報を第１の記憶部に記憶し、
前記第１の記憶部に記憶された前記ｎ個の画像情報の中からｎ−１番目の前記画像情報に基づく画像情報を第２の記憶部に記憶し、
画像記録部により前記第２の記憶部に記憶されている前記画像情報に基づいて前記被記録材に画像記録し、検出部の通知により前記第２の記憶部に記憶されているｎ−１番目の前記画像情報を消去した後、前記第１の記憶部に記憶された前記ｎ個の画像情報の中から、ｎ番目の前記画像情報に基づく前記画像情報を前記第２の記憶部に記憶し、
前記画像記録部により前記第２の記憶部に記憶されている前記ｎ番目の画像情報に基づいて前記被記録材に画像記録し、前記ｎ−１番目の画像情報によって画像記録された前記被記録材に対する前記後処理が終了して後処理検出部が通知すると、前記第１の記憶部に記憶された前記ｎ−１番目の画像情報が消去され、
前記ｎ番目の画像情報によって画像記録された前記被記録材に対する前記後処理が終了して前記後処理検出部が通知すると、前記第１の記憶部に記憶された前記ｎ番目の画像情報が消去される、
ことを特徴とする画像記録方法。
【請求項１４】
画像情報に基づいて被記録材に画像を記録する工程と、前記画像が記録された前記被記録材に対して後処理を行なう工程とを有する画像記録方法において、
ｎ個の画像情報を第１の記憶部に記憶し、
前記第１の記憶部に記憶された前記ｎ個の画像情報の中からｎ−１番目の前記画像情報に基づく画像情報を第２の記憶部に記憶し、
画像記録部により前記第２の記憶部に記憶されている前記画像情報に基づいて前記被記録材に画像記録し、
検出部の通知により前記第２の記憶部に記憶されているｎ−１番目の前記画像情報を消去した後、前記第１の記憶部に記憶された前記ｎ個の画像情報の中からｎ番目の前記画像情報に基づく前記画像情報を前記第２の記憶部に記憶し、
画像記録部により前記第２の記憶部に記憶されている前記ｎ番目の画像情報に基づいて前記被記録材に画像記録し、
前記ｎ−１番目の画像情報によって画像記録された前記被記録材に対する前記後処理中にエラーが発生して前記被記録材が失われた場合に、前記エラー回避後、前記第１の記憶部より前記ｎ−１番目の画像情報に基づく前記画像情報を再び前記第２の記憶部に記憶し、
画像記録部により前記第２の記憶部に記憶されている前記画像情報に基づいて前記失われた分を前記被記録材に画像記録し、
検出部の通知により前記第２の記憶部に記憶されている前記ｎ−１番目の画像情報を消去した後、再び前記第１の記憶部に記憶された前記画像情報の中から前記ｎ番目の画像情報に基づく前記画像情報を前記第２の記憶部に記憶し、
画像記録部により前記第２の記憶部に記憶されている前記ｎ番目の画像情報に基づいて前記画像記録枚数の残りについて前記被記録材に画像記録し、
前記ｎ−１番目の画像情報によって画像記録された前記被記録材に対する前記後処理が終了して前記後処理検出部が通知すると、前記第１の記憶部に記憶された前記ｎ−１番目の画像情報が消去され、
前記ｎ番目の画像情報によって画像記録された前記被記録材に対する前記後処理が終了して前記後処理検出部が通知すると、前記第１の記憶部に記憶された前記ｎ番目の画像情報が消去される、
ことを特徴とする画像記録方法。
【請求項１５】
前記後処理工程の終了は、前記後処理検出部の通知によりなされることを特徴とする請求項１３又は１４記載の画像記録方法。
【請求項１６】
前記後処理中のエラーは、前記検出部の通知時から時間監視によって所定の時間が経過する前に前記後処理開始の通知がなかった場合に生成されることを特徴とする請求項１４記載の画像記録方法。
【請求項１７】
前記後処理中のエラーは、前記被記録材の搬送経路上の詰まりにおけるジャムエラーを有することを特徴とする請求項１４記載の画像記録方法。
【発明の詳細な説明】
【技術分野】
【０００１】
本発明は、画像情報に基づいて、例えば記録用紙等の被記録材に画像を記録した後、この被記録材に対して孔あけ、綴じ又は製本等の後処理を行う画像記録装置及びその画像記録方法に関する。
【背景技術】
【０００２】
上記のような画像記録装置は、例えば特許文献１、２において関連する技術が開示されている。特許文献１には、プリントデータを１画面毎に記憶する複数のメモリを備え、第１のメモリに記憶されたプリントデータを読み出して印刷を行い、印刷を終えた用紙が正常に搬出されたならば、第２のメモリから次の画面のプリントデータを読み出しながら第１のメモリの内容をクリアする一連の方法について開示されている。
【０００３】
特許文献２には、ページイメージ生成手段によって生成されたページイメージを一旦ページメモリ手段に格納し、このページメモリ手段に格納されているページイメージのデータをプリンタ等の出力手段に転送し、この出力手段でプリントアウトするもので、ページメモリ管理制御装置は、ページイメージのデータをプリントした用紙の搬出が終了したことを示すテーブルが「Ｙｅｓ」であると判断した場合、そのテーブルの「書き込み終了」欄を「Ｎｏ」とし、「ページメモリＩＤ」欄のＩＤのベージメモリをクリアする。また、ページメモリに空きがない場合、用紙の搬出終了を待たずに、転送完了によってページメモリをクリアする一連の方法について開示されている。
【特許文献１】特開平３−６１５７０号公報（第２頁右上欄、第１図）
【特許文献２】特開平６−２３８９６０号公報（段落番号［００２４］［００３３］）
【発明の開示】
【発明が解決しようとする課題】
【０００４】
特許文献１は、第１のメモリに記憶されたプリントデータを読み出しての印刷を終えた用紙が正常に搬出されたならば、第２のメモリから次の画面のプリントデータを読み出しながら第１のメモリの内容をクリアするために、印刷を終えた用紙が完全に搬出されるまで第１のメモリの内容はクリアされずに記憶された状態となる。
【０００５】
このため、印刷を終えて用紙を完全に搬出するまでの搬送経路が長い画像記録装置、例えば印刷を終えた用紙に対して例えば孔あけ、綴じ又は製本等の後処理を行う画像記録装置に特許文献１を適用すると、第１のメモリの内容をクリアするタイミングが遅延し、これに伴って第２のメモリから次の画面のプリントデータを読み出すタイミングも遅延する。この結果、次の画面の用紙へのプリント処理が遅れ、プリンタのスループットが低下することになる。
【０００６】
また、上記のような搬送経路が長い画像記録装置に特許文献２を適用した場合においては、ページメモリに空きがない場合、用紙の搬出終了を待たずに、転送完了によってページメモリをクリアするのでスループットは向上する。
【０００７】
しかし、この特許文献２では、用紙の詰まり、所謂ジャムの発生率は低いものと想定してジャム発生時の対処を考慮せず、用紙の搬出終了を待たずにページメモリをクリアしているため、ジャム回避作業後に処理続行しようとしても不可能となり作業性を損なうことになる。
【０００８】
上記のような搬送経路が長い画像記録装置においては、必然的にジャムの発生率が高くなる。
【０００９】
従って、かかる搬送経路が長い画像記録装置においては、印刷スループットの向上、及びジャム発生における復旧後(ジャム回避後)の処理続行における作業性確保が必須となる。
【００１０】
そこで、本発明は、画像記録後の被記録材に対して後処理を行う搬送経路が長い画像記録装置において、画像記録スループットの向上、及びジャム発生における復旧後(ジャム回避後)の画像記録の続行処理が可能な画像記録装置及びその画像記録方法を提供することを目的とする。
【課題を解決するための手段】
【００１１】
本発明は、画像情報に基づいて被記録材に画像を記録する画像記録部と、画像記録部に対向して設けられ、被記録材を少なくとも載置して搬送経路の下流側へ搬送する搬送機構と、搬送機構の下流側に設けられ、画像記録後の被記録材に対して後処理を行う後処理部とを有する画像記録装置において、搬送経路における画像記録部の下流側に設けられた検出部と、後処理部に設けられた少なくとも１つの後処理検出部と、画像記録部、搬送機構及び後処理部を統括制御する画像情報管理部と、画像情報管理部により画像情報が記憶される第１の記憶部と、画像情報管理部により少なくとも第１の記憶部に記憶された画像情報に基づく画像情報が記憶される第２の記憶部とを具備する画像記録装置である。
【００１２】
本発明は、画像情報に基づいて被記録材に画像情報を記録する工程と、画像情報が記録された被記録材に対し、後処理を行なう工程とを有する画像記録方法において、ｎ個の画像情報を第１の記憶部に記憶し、第１の記憶部に記憶されたｎ個の画像情報の中からｎ−１番目の画像情報に基づく画像情報を第２の記憶部に記憶し、画像記録部が第２の記憶部に記憶されている画像情報に基づいて被記録材に画像記録し、検出部の通知により第２の記憶部に記憶されているｎ−１番目の画像情報を消去した後、第１の記憶部に記憶されたｎ個の画像情報の中から、ｎ番目の画像情報に基づく画像情報を第２の記憶部に記憶し、画像記録部が第２の記憶部に記憶されているｎ番目の画像情報に基づいて被記録材に画像記録し、ｎ−１番目の画像情報によって画像記録された被記録材の後処理が終了して後処理検出部が通知すると、第１の記憶部に記憶されたｎ−１番目の画像情報が消去され、ｎ番目の画像情報によって画像記録された被記録材の後処理が終了して後処理検出部が通知すると、第１の記憶部に記憶されたｎ番目の画像情報が消去される、画像記録方法である。
【発明の効果】
【００１３】
本発明は、画像記録後の被記録材に対して後処理を行う搬送経路が長い画像記録装置においても、画像記録スループットの向上、及びジャム発生における復旧後(ジャム回避後)の画像記録の続行処理が可能な画像記録装置及びその画像記録方法を提供することができる。
【発明を実施するための最良の形態】
【００１４】
以下、本発明の第１の実施の形態について図面を参照して説明する。
【００１５】
図１はインクジェット方式の画像記録装置の構成図である。装置本体１には、記録用紙等の被記録材２を収納する受渡トレイ３が着脱可能に設けられている。装置本体１の内部には、被記録材２を１枚毎、画像記録部４の下方に一定の速度で搬送する搬送機構５が設けられている。この搬送機構５は、例えば無端の搬送ベルト６と、この搬送ベルト６を被記録材２の搬送方向Ａの上流側と下流側とで回転可能に架設する各ローラ７、８と、これら各ローラ７、８のいずれか一方に所定の回転速度で当該ローラを回転させる図示しないモータと、他方に回転量(搬送ベルト移動量)を生成する図示しないエンコーダとを有する。
【００１６】
画像記録部４は、搬送機構５により所定の移動量で搬送される被記録材２に対して画像記録するもので、例えば搬送方向Ａに所定の間隔毎に配置された各インクヘッド９ｋ、９ｃ、９ｍ、９ｙを有する。インクヘッド９ｋは、Ｋ（ブラック）色のインクを吐出し、インクヘッド９ｃは、Ｃ（シアン）色のインクを吐出し、インクヘッド９ｍは、Ｍ（マゼンタ）色のインクを吐出し、インクヘッド９ｙは、Ｙ（イエロ）色のインクを吐出する。
【００１７】
搬送機構５の下流側と上流側とを結ぶ被記録材２の搬送経路には、被記録材２の反転機構１０が設けられている。この反転機構１０は、被記録材２の表裏両面に画像記録するために、搬送機構５の下流側に搬送されてきた表側に画像記録された被記録材２を反転させて搬送機構５の上流側に戻し、再度、搬送機構５により被記録材２を画像記録部４の下方に搬送させて被記録材２の裏面に画像記録させる機構である。
【００１８】
装置本体１の画像記録後における被記録材２の搬出側には、搬送部１１を介して後処理部１２が取り付けられている。この搬送部１１は、装置本体１から搬出された被記録材２を１枚毎に所定の速度、すなわち搬送機構５と同一の搬送速度で後処理部１２側に搬送するもので、例えば装置本体１内の搬送機構５と同様に無端の搬送ベルトと、この搬送ベルトを上流側と下流側とで回転可能に架設する各ローラと、これらローラのいずれか一方に所定の回転速度で回転させる図示しないモータとを有する。
【００１９】
又、搬送部１１は、装置本体１から搬出される各被記録材２を一時的に収容するもので、例えば後述する後処理部１２の後処理の進行に応じて収容した順番に、又は予め複数の収容場所を設け、画像情報別に収納する構成を有し、後から収容した各被記録材２を順次後処理部１２に搬送する。
【００２０】
上記収容した各被記録材２の順番を変える理由は、例えば後処理部１２において、被記録材２の搬送経路上で被記録材２が詰まり、いわゆるジャムエラー発生等により、失った画像記録済みの被記録材２を再度補充する場合等に対処するためである。
【００２１】
後処理部１２は、画像記録された被記録材２に対して例えば孔開け、綴じ又は製本処理を行う。これら孔開け、綴じ又は製本処理などの後処理は、画像記録部４における被記録材２への画像記録処理に要する処理時間よりも長い処理時間を要する。また、これら後処理では、例えば被記録材２の用紙の種類、例えば各Ｐ１用紙，Ｐ２用紙，Ｐ３用紙において、Ｐ１用紙を１０枚孔開けする、Ｐ２用紙を２０枚孔開けする、Ｐ３用紙を５０枚孔開けする等の予約設定を行うことができる。この予約設定は、孔開けだけに限らず、綴じ又は製本処理などについても可能である。
【００２２】
この後処理部１２は、搬送部１１から導入搬送された被記録材２を、例えば３方向に分岐して搬送する後処理搬送機構１３を備えている。この後処理搬送機構１３は、第１、第２及び第３の後処理ルート１３ａ、１３ｂ、１３ｃを有し、例えば第１の後処理ルート１３ａは被記録材２に対して孔開けを行わせ、第２の後処理ルート１３ｂは被記録材２に対して綴じを行わせ、第３の後処理ルート１３ｂは被記録材２に対して製本処理を行わせる。これら第１、第２及び第３の後処理ルート１３ａ、１３ｂ、１３ｃにおいては、全ての処理ルートで被記録材２に対して例えば孔開け、綴じ又は製本処理を行わせてもよく、任意に可変可能である。
【００２３】
これら第１、第２及び第３の後処理ルート１３ａ、１３ｂ、１３ｃの各搬出側には、それぞれ各受取トレイ１４ａ、１４ｂ、１４ｃが取り付けられている。これら受取トレイ１４ａ、１４ｂ、１４ｃは、それぞれ後処理部１２に対して着脱可能に設けられ、後処理された各被記録材２を収納する。
【００２４】
次に、画像記録装置の制御系の構成について説明する。
【００２５】
装置本体１における被記録材２の搬出側の近傍には、検出部２０としての画像記録終了センサが設けられている。この画像記録終了センサ２０は、画像記録部４により被記録材２への画像記録が終了し、装置本体１から完全に搬出された被記録材２を検出するように設けられ、例えば図１に示されるＡ方向に搬送される被記録材２の後端エッジを検出して、画像記録終了情報を通知する。
【００２６】
後処理部１２における第１、第２及び第３の後処理ルート１３ａ、１３ｂ、１３ｃの各搬出側の近傍には、各後処理検出部２１、２２、２３としての各終了センサが設けられている。終了センサ２１は、例えば第１の後処理ルート１３ａにより被記録材２に対して孔開けの後処理が終了し、受取トレイ１４ａに搬出された被記録材２を検出し、その後処理終了情報を通知する。終了センサ２２は、例えば第２の後処理ルート１３ｂにより被記録材２に対して綴じの後処理が終了し、受取トレイ１４ｂに搬出された被記録材２を検出し、その後処理終了情報を通知する。終了センサ２３は、例えば第３の後処理ルート１３ｃにより被記録材２に対して製本処理の後処理が終了し、受取トレイ１４ｃに搬出された被記録材２を検出し、その後処理終了情報を通知する。さらに詳細を後述する画像記録統括部２４が、例えば装置本体１内に設けられている。
【００２７】
次に、画像記録統括部２４の構成について図２に示すブロック構成図により説明する。
【００２８】
画像情報管理部２５は、画像記録部４、検出部２０、搬送機構５及び後処理検出部２１、２２、２３を有する後処理部１２を統括制御する。この画像情報管理部２５は、画像情報Ｄの処理に用いる第１の記憶部２６及び第２の記憶部２７を有する。なお、これら画像情報管理部２５、第１の記憶部２６及び第２の記憶部２７により画像記録統括部２４が形成されている。
【００２９】
第１の記憶部２６は、例えば複数(１，２…ｎ−１，ｎ)個の画像情報Ｄを記憶するための容量を有するハードディスクで構成している。この第１の記憶部２６は、画像情報管理部２５を介して少なくとも複数(１，２…ｎ−１，ｎ)個の画像情報Ｄを記憶する。
【００３０】
第２の記憶部２７は、例えば複数(１，２…ｎ−１，ｎ)個の画像情報Ｄの内の少なくとも１画像情報以上を記憶するための容量を有する比較的高速処理可能なランダムアクセスメモリで構成している。
【００３１】
なお、第２の記憶部２７を、画像情報Ｄの内の少なくとも１画像情報以上を記憶するための容量を有する比較的高速処理可能なランダムアクセスメモリとする理由としては、画像記録部４が被記録材２に対して画像記録する際の画像情報読み出し速度を確保するためである。
【００３２】
この第２の記憶部２７には、画像情報管理部２５により、１つの画像情報Ｄに対して例えば階調数の変換処理を行なった後の画像情報Ｄ’が格納される。この階調数の変換処理は、画像情報Ｄを画像記録部４の仕様に適合させるための事前処理で必要に応じて行なわれる。
【００３３】
画像情報管理部２５は、例えばコンピュータにより成るもので、ＣＰＵ、内部メモリ、プログラムメモリ、入出力ポート等を有する。プログラムメモリには、図３及び図４に示されるようなフローチャートに対応する画像情報管理処理プログラムが予め記憶されている。
【００３４】
この画像情報管理部２５は、外部装置、例えば本発明の画像記録装置に画像記録要求を発する上位コンピュータ等から取り込んだ画像記録条件、例えば画像記録枚数、被記録材のサイズ、ｄｐｉ設定条件等を自ら記憶した後、さらに取り込んだ例えば複数（１，２…ｎ−１，ｎ）個の画像情報Ｄを第１の記憶部２６に記憶させる。
【００３５】
次に、画像情報管理部２５は、記憶した複数（１，２…ｎ−１，ｎ）個の画像情報Ｄの中から画像記録する画像、例えばｎ−１番目の１画像情報に対し前述した変換処理を行い、その後、第２の記憶部２７に記憶させる。
【００３６】
次に、画像情報管理部２５は、画像記録部４に対して例えば第２の記憶部２７に記憶されたｎ−１番目の画像情報Ｄ’の記録命令を上記画像記録条件に基づいて通知する。
【００３７】
又、画像情報管理部２５は、図１に示されるように被記録材２の搬送経路の上流側における受渡トレイ３から被記録材２を１枚毎下流側の搬送機構５に給送した後、搬送機構５の搬送ベルト６に当該被記録材２を載置させて下流側へと搬送させる。
【００３８】
この下流側への被記録材２の搬送動作中、画像情報管理部２５は、上記画像記録条件に従い、画像情報Ｄ’に基づきインクヘッド９ｋからのＫ色のインクの吐出制御と、インクヘッド９ｃからＣ色のインクの吐出制御と、インクヘッド９ｍからＭ色のインクの吐出制御と、インクヘッド９ｙからＹ色のインクの吐出制御とを行なわせ、被記録材２上への画像記録を行わせる。
【００３９】
画像情報管理部２５は、画像記録後の被記録材２を搬送機構５より下流側に設けられる搬送部１１へ搬送させる。搬送部１１は、被記録材２を一時的に収容した後、被記録材２を搬送ベルト上に載置してさらに下流側に設けられた後処理部１２へと搬送させる。
【００４０】
画像情報管理部２５は、後処理部１２の例えば第１の後処理ルート１３ａにおける被記録材２に対する孔開け処理の動作制御と、第２の後処理ルート１３ｂにおける被記録材２に対する綴じ処理の動作制御と、第３の後処理ルート１３ｂにおける被記録材２に対する製本処理の動作制御とを行う。
【００４１】
画像情報管理部２５は、画像情報Ｄを第１の記憶部に記憶し、記憶された画像情報Ｄの中から画像記録する画像情報に基づいた画像情報Ｄ’を第２の記憶部２７に記憶し、画像記録部４の下方を搬送機構５で被記録材２を搬送する過程において画像記録させる。
【００４２】
画像情報管理部２５は、画像記録終了を検出部２０から通知された時点で、第２の記憶部２７に記憶された画像情報Ｄ’を消去する。
【００４３】
画像情報管理部２５は、後処理部１２が後処理中の搬送経路で紙詰まりにおけるジャムエラーを検出し、このジャムエラー回避後に続行処理が選択されると、画像情報Ｄにおけるジャムエラーで失われた分の画像記録処理を行う。
【００４４】
画像情報管理部２５は、第１の記憶部に記憶された画像情報Ｄを、後処理検出部２１、２２、２３による終了検出によって消去する。
【００４５】
次に、上記の如く構成された画像記録装置の動作について図３乃至図５に示される画像情報管理処理のフローチャートに従って説明する。なお、本画像情報管理処理のフローチャートにおいては、説明の都合上、後述される複数（１，２…ｎ−１，ｎ）個の画像情報Ｄに対し、ｎ−１番目及びｎ番目の画像情報を用いた例で示す。
【００４６】
画像情報管理部２５は、ステップＳ０、すなわち画像記録装置の電源立ち上げ直後において、第１の記憶部２６及び第２の記憶部２７の記憶内容を消去する。
【００４７】
次に、画像情報管理部２５は、ステップＳ１において、前述した外部装置、例えば画像記録要求を発する上位コンピュータ等から取り込んだ画像記録条件、例えば画像記録枚数、被記録材のサイズ、ｄｐｉ設定条件等の通知を受け記憶し、次のステップＳ２において、さらに取り込んだ、複数（１，２…ｎ−１，ｎ）個の画像情報Ｄを第１の記憶部２６に記憶させる。
【００４８】
次に、画像情報管理部２５は、ステップＳ３において、入力された画像情報Ｄの中から１画像情報に対し、前述した変換処理が必要かどうかを判断し、必要と判断された場合にサブルーチン処理、すなわち図５に示すＳＵＢ処理を行った後、次のステップＳ４において、ＳＵＢ処理後の画像情報Ｄ’を第２の記憶部２７に記憶させる。なお、第２の記憶部２７に記憶される画像情報Ｄ’は、説明の都合上ｎ−１番目の画像情報Ｄ’とする。ＳＵＢ処理は、例えば１つの画像情報Ｄに対して例えば階調数の変換処理を行なって画像情報Ｄ’を得るもので、この階調数の変換処理は、画像情報Ｄを画像記録部４の仕様に適合させるための事前処理で必要に応じて行なわれるものである。
【００４９】
次に、画像情報管理部２５は、ステップＳ５において、ｎ−１番目の画像情報Ｄ’を被記録材２に画像記録する。すなわち、画像情報管理部２５は、下流側への被記録材２の搬送動作中、画像記録条件に従い、画像情報Ｄ’に基づきインクヘッド９ｋからのＫ色のインクの吐出制御と、インクヘッド９ｃからＣ色のインクの吐出制御と、インクヘッド９ｍからＭ色のインクの吐出制御と、インクヘッド９ｙからＹ色のインクの吐出制御とを行なわせ、被記録材２上への画像記録を行わせる。
【００５０】
次に、検出部２０が被記録材２への画像記録終了を画像情報管理部２５へ通知すると、画像情報管理部２５は、ステップＳ６において、検出部２０からの画像記録終了を受け取って画像記録終了を判断し、次のステップＳ７において、第２の記憶部２７に記憶されているｎ−１番目の画像情報を消去する。
【００５１】
次に、画像情報管理部２５は、ステップＳ８において、第１の記憶部２６に記憶された画像情報Ｄの中から１画像情報に対し、前述した変換処理が必要かどうかを判断し、必要と判断された場合にサブルーチン処理、すなわちＳＵＢ処理である画像情報Ｄから画像情報Ｄ’へ変換を行う。
【００５２】
次に、画像情報管理部２５は、ステップＳ９において、変換した画像情報Ｄ’を第２の記憶部２７に記憶させる。なお、この画像情報Ｄ’は、説明の都合上ｎ番目の画像情報とする。
【００５３】
次に、画像情報管理部２５は、ステップＳ１０において、ｎ番目の画像情報を上記同様に、被記録材２に画像記録する。
【００５４】
次に、画像情報管理部２５は、ステップＳ１１において、後処理部１２におけるジャムエラーの発生有無を判断する。この判断の結果、ジャムエラーの発生が無い場合、画像情報管理部２５は、次のステップＳ１２において、ｎ−１番目の画像情報Ｄ’における後処理検出部２１、２２、２３による検出の有無からの後処理終了の判断を行う。この判断の結果、後処理が終了でなければ、画像情報管理部２５は、ステップＳ１１に戻る。後処理が終了であれば、画像情報管理部２５は、次のステップＳ１３において、第１の記憶部２６に記憶されたｎ−１番目の画像情報Ｄを消去する。
【００５５】
次に、画像情報管理部２５は、ステップＳ１４において、ｎ番目の画像情報Ｄ’における後処理検出部２１、２２、２３による検出の有無から後処理終了の判断を行う。この判断の結果、後処理が終了でなければ、画像情報管理部２５は、ステップＳ１１に戻る。後処理が終了であれば、画像情報管理部２５は、次のステップＳ１５において、第１の記憶部２６に記憶されたｎ番目の画像情報Ｄを消去する。
【００５６】
この後、画像情報管理部２５は、画像情報管理処理のフローを終了する。
【００５７】
一方、画像情報管理部２５は、上記ステップＳ１１において、後処理部１２におけるジャムエラーの発生有無を判断した際、ジャムエラーの発生が有った場合、次のステップＳ１６において、ジャムエラーの回避が行われたか否かを判断する。
【００５８】
この判断の結果、ジャムエラーの回避が行われない場合、画像情報管理部２５は、当該ステップＳ１６におけるループを繰り返す。
【００５９】
ジャムエラーの回避が行われた場合、画像情報管理部２５は、次のステップＳ１７において、続行処理を行うか否かのオペレータによる選択の指示を待つ。このオペレータによる選択指示は、例えば図示されない本発明における画像記録装置の操作パネル操作等により行われる。
【００６０】
続行処理を行わない場合、画像情報管理部２５は、画像情報管理処理のフローを終了する。
【００６１】
一方、続行処理を行う場合、画像情報管理部２５は、次のステップＳ１８において、ジャムエラー発生により失われた画像情報Ｄ’、及び失われた被記録材２の記録枚数を再設定した後、次のステップＳ１９において、失われた画像情報Ｄ’がｎ−１番目の画像情報Ｄ’におけるジャムエラーであるか否かを判断する。
【００６２】
ｎ−１番目の画像情報Ｄ’におけるジャムエラーである場合、画像情報管理部２５は、前述したステップＳ３に戻り、ｎ−１番目の画像情報Ｄ’におけるジャムエラーで失われた分の画像記録処理に移行する。ｎ−１番目の画像情報Ｄ’におけるジャムエラーでない場合、画像情報管理部２５は、前述したステップＳ８に戻り、ｎ番目の画像情報Ｄにおけるジャムエラーで失われた分の画像記録処理に移行する。
【００６３】
以上、第１の実施の形態によれば、着脱可能な後処理部１２により例えば孔開け、綴じ又は製本処理を予約設定、例えば図示されない本発明における画像記録装置の操作パネル操作による等で行うと共に、画像情報管理部２５により複数（１，２…ｎ−１，ｎ）個の画像情報Ｄを第１の記憶部に記憶し、記憶された画像情報Ｄの中から画像記録する画像例えばｎ−１番目の１画像情報に基づいた画像情報Ｄ’を第２の記憶部２７に記憶し、画像記録部４の下方を搬送機構５で被記録材２を搬送する過程において画像記録し、画像記録終了における検出部２０が通知した時点で、被記録材２を後処理部１２に搬出すると共に、第２の記憶部２７に記憶されたｎ−１番目の画像情報Ｄ’を消去し、次に、上記後処理部１２の終了を待たずに、第１の記憶部に記憶された画像情報Ｄの中から例えばｎ番目の１画像情報Ｄに基づいた画像情報Ｄ’を第２の記憶部２７に記憶し、画像記録部４により画像記録を行うので、画像記録処理のスループット向上がなされる。
【００６４】
また、仮に上記ｎ−１番目の画像情報Ｄ’を後処理部１２が後処理中の搬送経路で紙詰まりにおけるジャムエラーが発生したとしても、上記ジャムエラー回避後に続行処理が選択されると、ｎ−１番目の画像情報Ｄにおけるジャムラーで失われた分の画像記録処理が行われ、画像記録された被記録材２が補充されるため、作業性を損なうこともない。
【００６５】
また、第１の記憶部に記憶された複数（１，２…ｎ−１，ｎ）個の画像情報Ｄは、後処理検出部２１、２２、２３の終了検出（但し、同じ画像情報Ｄにおいて、後処理部１２が異なる後処理ルートで並列処理した場合は当該後処理検出部における終了通知のＡＮＤ条件）によって消去される構成としたので、後処理部１２が全て終了するまで上記画像情報Ｄが本画像記録装置から失われることがない。
【００６６】
次に、本発明の第２の実施の形態について図面を参照して説明する。なお、図１乃至図５と同一部分には同一符号を付し、第１の実施の形態と共通な作用及び効果については、その詳な説明を省略する。
【００６７】
図６はインクジェット方式の画像記録装置における画像記録統括部のブロック構成図を示す。この画像記録装置は、上記第１の実施の形態における第１の記憶部２９及び第２の記憶部３０の形態を異ならせたものである。
【００６８】
第１の記憶部２９及び第２の記憶部３０は、例えば複数（１，２…ｎ−１，ｎ）個の画像情報Ｄを記憶するための容量を有する比較的高速処理可能なハードディスク２８で構成されている。このハードディスク２８は、予め占有記憶領域の設定（パーテーション設定）されて、上記第１の記憶部２９と第２の記憶部３０とを構成している。
【００６９】
第１の記憶部２９は、画像情報管理部２５を介して少なくとも複数（１，２…ｎ−１，ｎ）個の画像情報Ｄを記憶する。
【００７０】
第２の記憶部３０は、例えば複数(１，２…ｎ−１，ｎ)個の画像情報Ｄの内の少なくとも１画像情報以上を記憶するための容量を有するように予め占有記憶領域の設定（パーテーション設定）されている。
【００７１】
なお、ハードディスク２８を比較的高速処理可能なハードディスクで構成する理由は、第１の記憶部２９に記憶された画像情報Ｄの内の少なくとも１画像情報以上を、上記画像情報Ｄに基づく画像情報Ｄ’として記憶する第２の記憶部３０において、画像記録部４が被記録材２に対して画像記録する際の画像情報読み出し速度を確保するためである。
【００７２】
以上、第２の実施の形態によれば、上記第１の実施の形態と同様の効果を奏する。また、上記画像記録部４が被記録材２に対して画像記録する際の画像情報読み出し速度が充分であれば、第１の画像情報記憶部２９と第２の画像情報記憶部３０とにおける各記憶領域の大容量化が容易に可能となり安価に構成することができる。
【００７３】
なお、本発明は、前述した第１の実施の形態及び第２の実施の形態に限定されるものではなく、実施の段階では、その要否を逸脱しない範囲で構成要素を変形して具体化できる。
【００７４】
また、第１の実施の形態及び第２の実施の形態に開示されている複数の構成要素の適宜組み合わせにより、種々の発明を形成できる。例えば、第１の実施の形態及び第２の実施の形態に示される全体構成要素から幾つかの構成要素を削除してもよい。さらに、異なる実施の形態に亘る構成要素を適宜組み合わせてもよい。
【００７５】
また、上記各実施の形態は、インクジェット方式の画像記録装置に適用した場合について説明したが、これに限らず、例えばレーザプリンタにも適用可能である。
【図面の簡単な説明】
【００７６】
【図１】本発明に係る画像記録装置の第１の実施の形態を示す構成図。
【図２】同装置における画像記録統括部のブロック構成図。
【図３】同装置における画像情報管理処理のフローチャート。
【図４】同装置における画像情報管理処理のフローチャート。
【図５】同装置における画像情報管理処理のフローチャート。
【図６】本発明に係る画像記録装置の第２の実施の形態を示す画像記録統括部のブロック構成図。
【符号の説明】
【００７７】
１：装置本体、２：被記録材、３：受渡トレイ、４：画像記録部、５：搬送機構、６：搬送ベルト、７，８：ローラ、９ｋ，９ｃ，９ｍ，９ｙ：インクヘッド、１０：反転機構、１１：搬送部、１２：後処理部、１３：後処理搬送機構、１３ａ：第１の後処理ルート、１３ｂ：第２の後処理ルート、１３ｃ：第３の後処理ルート、１４ａ，１４ｂ，１４ｃ：受取トレイ、２０：検出部、２１，２２，２３：後処理検出部、２４：画像記録統括部、２５：画像情報管理部、２６，２９：第１の記憶部、２７，３０：第２の記憶部、２８：ハードディスク。
【図１】
2006175837.tif 000003
【図２】
2006175837.tif 000004
【図３】
2006175837.tif 000005
【図４】
2006175837.tif 000006
【図５】
2006175837.tif 000007
【図６】
2006175837.tif 000008